(57)【要約】【課題】軒樋内のオーバーフロー水を効率的に排水処理できるようにした樋排水システムを提供する。【解決手段】樋排水システムは、屋根２の軒先部分に設けられた軒樋３と、軒樋３の一端部に連結されていて軒樋３内の排水を下方に導く竪樋と、軒樋３における竪樋から離間した位置に設置されていて軒樋３内の排水が軒樋３から溢れる前に排出させるオーバーフロー樋７と、を備えた。軒樋３の一端部に竪樋を設けると共に、他端部にオーバーフロー樋７を設け、軒樋３の底面３ａはオーバーフロー樋７側から竪樋に向けて下り傾斜の排水勾配を有している。【選択図】図１
2020029758.tif 000002
【特許請求の範囲】
【請求項１】
軒樋と、
前記軒樋に連結されていて前記軒樋内の排水を下方に導く竪樋と、
前記軒樋における前記竪樋から離間した位置または互いに離間して配設された複数の前記竪樋の中間位置に設置されていて前記軒樋内の排水が前記軒樋から溢れる前に排出させるオーバーフロー樋と、
を備えたことを特徴とする樋排水システム。
【請求項２】
前記オーバーフロー樋は、前記軒樋内に装着されていて前記軒樋内に流入する排水が前記軒樋を溢れる前に排出させる上部ドレンと、前記上部ドレンの下部を移動可能に収容するソケットと、を備えている請求項１に記載された樋排水システム。
【請求項３】
前記上部ドレンはその側面上部に排水を流入させる流入開口を備えており、前記流入開口が蓋部で覆われている請求項２に記載された樋排水システム。
【請求項４】
前記ソケットの下部に排水の流れる方向をガイドするキャップが装着されている請求項２または３に記載された樋排水システム。
【請求項５】
軒樋に装着されていて前記軒樋内に流入する排水が前記軒樋を溢れる前に排出させる上部ドレンと、
前記上部ドレンの下部を移動可能に収容するソケットと、
前記ソケットから排出される排水の流れる方向をガイドするキャップと、
を備えたことを特徴とするオーバーフロー樋。
【発明の詳細な説明】
【技術分野】
【０００１】
本発明は、軒樋に設けたオーバーフロー樋及びこのオーバーフロー樋を備えた樋排水システムに関する。
【背景技術】
【０００２】
従来、屋根に落ちる雨水は、図９（ａ）に示すように軒先に設けた軒樋１００から竪樋１０１に集めて下方に落下させて排水している。一方、集中豪雨やゲリラ豪雨等が発生すると竪樋１０１だけでは雨水を処理しきれないため、図９（ｂ）に示すように、軒樋１００を溢れ出てオーバーフローしてしまい、雨水が軒樋から直接落下することがあった。しかも、軒樋で排水がオーバーフローする部分は特定されておらず、軒樋の変形部分や屋根等から雨水が集中して流入する等の軒樋の予期せぬ部分でオーバーフローすることがあった。
【０００３】
このような不具合を改善する手段として、例えば建物の外壁面やベランダの外壁面等にオーバーフローキャップの排水口を設けて、オーバーフロー水をオーバーフローキャップを通して排水することが行われている。
また、特許文献１に記載されたオーバーフローセンサでは、軒樋内に軒樋の満水レベルより下側に縦管や横管の流入口を設置したオーバーフロー管を備えている。そのため、オーバーフロー管から雨水を排出させることで、豪雨や竪樋の詰まり等によって生じる雨水の軒樋からのオーバーフローを関係者に事前に知らせて、雨水のオーバーフローによる被害を軽減するとしている。
【先行技術文献】
【特許文献】
【０００４】
【特許文献１】実用新案登録第３１８９５１８号公報
【発明の概要】
【発明が解決しようとする課題】
【０００５】
ところで、上述した従来技術のオーバーフローキャップは外壁面に設置されているため、オーバーフロー排水時の伝い水によって外壁面を汚すことがあった。また、オーバーフローキャップが外壁面から露出するために外観の見栄えが悪い等の問題があった。
また、軒樋は止まり等の端部から排水を落下させる竪樋に向けて底面が下り傾斜で配置されているが、特許文献１に記載されたオーバーフロー管はその設置位置が特定されておらず、オーバーフロー水の効率的な検出と排出を実現できないという問題があった。
【０００６】
更に、軒樋が高温や寒気等に晒されて熱膨張や熱収縮をすると、軒樋に連結されたオーバーフロー管が変形するおそれがあり、オーバーフロー水の排出特性に悪影響を与えるおそれがあった。
【０００７】
本発明は、このような問題点に鑑みてなされたものであり、軒樋内のオーバーフロー水を効率的に排水処理できるようにした樋排水システムを提供することを目的とする。
また、本発明の他の目的は、軒樋が熱で伸縮したとしても変形したりすることを抑制して効率的に排水処理できるようにしたオーバーフロー樋を提供することである。
【課題を解決するための手段】
【０００８】
本発明による樋排水システムは、軒樋と、軒樋に連結されていて軒樋内の排水を下方に導く竪樋と、軒樋における竪樋から離間した位置、または互いに離間して配設された複数の竪樋の中間位置に設置されていて軒樋内の排水が軒樋から溢れる前に排出させるオーバーフロー樋と、を備えたことを特徴とする。
本発明によれば、軒樋には排水勾配が設けられており、竪樋に向かって下り傾斜に形成されている。集中豪雨等により軒樋内に排水が溜まり、水面が上昇して軒樋から溢れそうになると、排水が溢れる前にオーバーフロー樋に排水を流入させて外部に排水することで、軒樋から排水がオーバーフローすることを防止できる。しかも、オーバーフロー樋は軒樋における竪樋から離れた位置または竪樋と竪樋の中間位置に設置したため、排水勾配が高くて集中豪雨等によって急激に軒樋の水位が上昇する位置から排水を効率的に排出できる。
【０００９】
また、オーバーフロー樋は、軒樋内に装着されていて軒樋内に流入する排水が軒樋を溢れる前に排出させる上部ドレンと、上部ドレンの下部を移動可能に収容するソケットと、を備えていることが好ましい。
軒樋が高温や寒気等で熱伸縮すると、オーバーフロー樋の上部ドレンが軒樋と一体に微小距離移動するが、上部ドレンの下部はソケットに移動可能に収容されているため、軒樋の伸縮に応じて上部ドレンの下部が移動することを許容でき、オーバーフロー樋の損傷や変形を生じない。
【００１０】
また、上部ドレンはその側面上部に排水を流入させる流入開口を備え、流入開口が蓋部で覆われていることが好ましい。
上部ドレンを蓋部で覆うことで上部開口に枯れ葉やごみ等が流入することを阻止でき、上部ドレンの側面上部と蓋部との間隙を通して軒樋の排水が流入することを許容し、枯れ葉やごみ等が流入することを阻止している。
【００１１】
また、ソケットの下部に排水の流れをガイドするキャップが装着されていることが好ましい。
オーバーフロー樋の上部ドレンの流入開口から流入する排水が下方に流れ、キャップを通して排水の流れをガイドすることができるため、排水が外壁面等を流れて汚すことを阻止できる。
【００１２】
本発明によるオーバーフロー樋は、軒樋に装着されていて軒樋内に流入する排水が軒樋を溢れる前に排出させる上部ドレンと、上部ドレンの下部を相対移動可能に収容するソケットと、ソケットから排出される排水の流れる方向をガイドするキャップと、を備えたことを特徴とする。
【発明の効果】
【００１３】
本発明による樋排水システムは、軒樋において竪樋から離間した位置、または竪樋と竪樋の中間位置にオーバーフロー樋を設置したため、集中豪雨等で軒樋から排水がオーバーフローし易い領域でオーバーフロー樋を通して効率的に排水することができる。
【００１４】
また、本発明によるオーバーフロー樋によれば、軒樋が高温や寒気等の温度変化によって熱伸縮したとしても、オーバーフロー樋は軒樋に連結された上部ドレンの下部がソケットに対して移動可能に収容されているため、変形したり損傷したりすることを抑制して効率的に排水できる。
【図面の簡単な説明】
【００１５】
【図１】本発明の実施形態による軒樋とオーバーフロー樋の縦断面図である。
【図２】図１に示す軒樋と竪樋とオーバーフロー樋の位置関係を示す要部側断面図である。
【図３】オーバーフロー樋の分解斜視図である。
【図４】図３に示すソケットを示すもので、（ａ）は下方から見た斜視図、（ｂ）は縦断面図である。
【図５】（ａ）はキャップを上方から見た斜視図、（ｂ）はキャップを下方から見た斜視図である。
【図６】（ａ）はソケットとキャップの締め込み構造を示す要部断面図、（ｂ）はキャップを緩める方向に回す説明図、（ｃ）はキャップを締め込む方向に回す説明図である。
【図７】第一変形例によるキャップを示すもので、(a)はキャップを上方から見た斜視図、（ｂ）はキャップを下方から見た斜視図である。
【図８】第二変形例によるキャップを示すもので、(a)はキャップを上方から見た斜視図、（ｂ）はキャップを下方から見た斜視図である。
【図９】従来の軒樋と竪樋との関係を示す図であり、（ａ）は通常時、（ｂ）は集中豪雨時の図である。
【発明を実施するための形態】
【００１６】
以下、本発明の実施形態による樋排水システムとオーバーフロー樋について添付図面により説明する。
図１において、本発明の実施形態における戸建住宅等の建物１は建物本体の上部に例えば折版屋根等の屋根２が設けられ、屋根２の軒先には例えば断面略Ｕ字状の軒樋３が取り付けられている。図２に示すように、軒樋３はその長手方向に沿って断面略Ｕ字状に延びており、その両端部が止まり４で仕切られている。
【００１７】
軒樋３において、一方の端部の止まり４の近傍には竪樋６が取り付けられ、他方の端部の止まり４の近傍にはオーバーフロー樋７が取り付けられている。しかも、軒樋３はオーバーフロー樋７側から竪樋６に向けてその底面３ａに下り傾斜をなす傾斜面を形成することで、排水勾配が形成されている。竪樋６は例えば軒樋３に設けた集水器を介して下方に延びている。
図１において、軒樋３の下側には、軒樋３を覆うように断面略Ｕ字状の二次樋９が配設されている。軒樋３から雨水(排水)が溢れた場合には二次樋９で受けることができる。二次樋９で受けた排水は竪樋６を通して外部に排出できる。
【００１８】
オーバーフロー樋７は例えば建物１の外壁面１０から突出する軒天１２に固定され、軒天１２の上部に軒樋３及び二次樋９が固定されている。軒樋３及びオーバーフロー樋７及び軒天１２はその外側領域がパラペット１３によって覆われており、パラペット１３によって軒樋３の部分の外観の見栄えをよくして意匠性を向上させている。
軒天１２の下面にはオーバーフロー樋７を下側から支持する支持部材１４が固定され、支持部材１４の一端部１４ａは外壁面１０に支持され、他端部１４ｂはパラペット１３の下部に係止されている。支持部材１４はオーバーフロー樋７の途中部分から溢れる排水を受け止めることができる。
【００１９】
次に、図１及び図３乃至図５によって、オーバーフロー樋７の構成を説明する。
オーバーフロー樋７は、軒樋３内に設置される略筒状の上部ドレン本体１６と、その下部に連結されていて軒天１２に保持される下部ドレン本体１７とを有する。上部ドレン本体１６及び下部ドレン本体１７で上部ドレン１８を構成する。上部ドレン本体１６の上部には蓋部１９が設置されている。
また、下部ドレン本体１７の下側には、支持部材１４に支持されて上半部が軒天１２内に保持されるソケット２１が設けられている。ソケット２１の下部開口２１ｂにはキャップ２２が取り外し可能に装着されている。
【００２０】
図３に示すように、上部ドレン１８の上部ドレン本体１６は、上下に上部開口１６ａ、下部開口１６ｂを有する略円筒状に形成され、その上部に拡径して形成された上側拡径部１６ｃの外周面には雄ねじ部１６ｄが形成されている。上側拡径部１６ｃの下側には円筒部の周方向に沿って複数の流入開口２５が所定間隔で形成されている。上部ドレン本体１６の下部に下部フランジ部１６ｅがリング状に拡径して形成され、その下側の円筒部の外周面には雄ねじ部１６ｆが形成されている。
【００２１】
蓋部１９は有蓋円筒状に形成され、その内周面には上側拡径部１６ｃの雄ねじ部１６ｄに螺合する雌ねじ部１９ａが形成されている。上部ドレン本体１６の上部開口１６ａに蓋部１９を装着した状態で、上部ドレン本体１６の外周面と蓋部１９の内周面との間には全周に亘って間隙ｓが形成されている(図１参照)。
そのため、軒樋３内に流入する雨水は、水面高さが上部ドレン本体１６の流入開口２５を超えるとその内部に流入して排出されることになる。なお、上部ドレン本体１６に蓋部１９を設けることで、上部開口１６ａから枯れ葉やごみ等が流入することを阻止できる。
【００２２】
上部ドレン本体１６の下部に設けられた下部ドレン本体１７は略ラッパ状に形成され、その上部には上部フランジ部１７ａが形成されている。上部フランジ部１７ａの内面側には円筒状の雌ねじ部１７ｂが形成され、この雌ねじ部１７ｂに上部ドレン本体１６の雄ねじ部１６ｄが螺合されて一体化される。下部ドレン本体１７における上部フランジ部１７ａの下側には拡径筒部１７ｄとより小径で長軸状の小径筒部１７ｃとが形成され、小径筒部１７ｃは軒天１２内の空間内に延びている。
上部ドレン本体１６の雄ねじ部１６ｄを下部ドレン本体１７の雌ねじ部１７ｂに螺合することで、下部フランジ部１６ｅと上部フランジ部１７ａが当接する。
【００２３】
上部ドレン１８が軒樋３の底面３ａに形成された穴部に挿入された際、上部ドレン本体１６の下部フランジ部１６ｅと下部ドレン本体１７の上部フランジ部１７ａが底面３ａの穴部の周囲に着座する。しかも、下部ドレン本体１７の小径筒部１７ｃが軒天１２内の上面穴部に挿入されて、軒天１２内に保持される。軒樋３の底面３ａと二次樋９の底面とは、上部ドレン本体１６の下部フランジ部１６ｅと軒天１２の上面との間に保持されている。
なお、上部ドレン本体１６は、流入開口２５が軒樋３の底面３ａより上方で軒樋３の上端部より低い位置になるように取り付けられる。
【００２４】
下部ドレン本体１７の下側に設置されるソケット２１は、図４（ａ）、（ｂ）に示すように、拡径された上部開口２１ａから下方の下部開口２１ｂに向けて次第に縮径された略筒状の本体部２１ｃと、その下側に拡径して形成された下部フランジ部２１ｄと、下部フランジ部２１ｄの下側に形成された筒部の外周面に形成された雄ねじ部２１ｅとを有している。
本体部２１ｃの上部開口２１ａ内には下部ドレン本体１７の小径筒部１７ｃが収容されており、上部開口２１ａと小径筒部１７ｃとの間にはその径の違いによって全周に間隙が形成されている。そのため、軒樋３が熱膨張や熱収縮等で伸縮した際に上部ドレン１８がソケット２１に対して相対的に微小距離移動することを許容している。また、本体部２１ｃの縮径部の内周面には雨水の落下をガイドする整流板２７が所定間隔で形成されている(図４（ｂ）参照)。
【００２５】
また、ソケット２１の本体部２１ｃはその上半部が軒天１２内に保持され、下半部が軒天１２から下方に突出している。ソケット２１の下半部は雄ねじ部２１ｅの部分が支持部材１４に形成した穴部から下方に突出しており、下部フランジ部２１ｄが支持部材１４の穴部の周囲に着座している。
しかも、上部開口２１ａの一端部、例えば建物１の外壁面１０と反対側の部分には、下方に傾斜した略Ｖ字状の下方傾斜部２１ａａが形成されて開口している。これによって、上部ドレン１８から雨水がソケット２１内に落下した際、流入量がソケット２１内の貯留量を超えた場合には下方傾斜部２１ａａから漏れ出て軒天１２から支持部材１４内に流れ落ちる。これによって、外壁面１０が雨水で汚れることを防止できる。
【００２６】
ソケット２１の下部に設けたキャップ２２は薄型で略円筒形状であり、図５（ａ）、（ｂ）に示すように、略円筒状の外周面部２４ａとその内部に固定された略円板状の排水口部２４ｂとの２部材で形成されているが、一体に形成してもよい。外周面２４ａは上端部がフランジ状に拡径しており、その内面に雌ねじ部２２ａが形成されている。この雌ねじ部２２ａはソケット２１の雄ねじ部２１ｅに螺合可能である。
その内部の排水口部２４ｂでは、小径筒状の中央旋回筒２２ｂ、その外側の第一旋回筒２２ｃ、第二旋回筒２２ｄが同心円状に形成され、半径方向に延びるリブ２２ｅによって連結されている。リブ２２ｅは周方向に適宜の間隔で形成されている。中央旋回筒２２ｂ、第一旋回筒２２ｃ、第二旋回筒２２ｄは排水の整流化を促す整流部材である。
【００２７】
そのため、中央旋回筒２２ｂ内の円形の空間ｋ１、中央旋回筒２２ｂと第一旋回筒２２ｃの間のリング状の空間ｋ２、第一旋回筒２２ｃと第二旋回筒２２ｄの間のリング状の空間ｋ３、第二旋回筒２２ｄと排水口部２４ｂの外周壁との間の空間ｋ４、が同心円状に形成されている。そして、オーバーフロー樋７の上方から流入する雨水の流れを、各空間ｋ１、ｋ２、ｋ３、ｋ４を通して同心円状に制御して整流化させて下方に落下させることができる。
キャップ２２における同心円状の各空間ｋ１、ｋ２、ｋ３、ｋ４は排水開口２６を形成する。そのため、キャップ２２から落下する雨水が中央に集合させられて真下に流れ落ち、周囲に飛散することを抑制し、不規則に偏って外壁面１０等に付着したりすることを阻止できる。
【００２８】
次に図６は、ソケット２１とキャップ２２の緩み防止構造を示すものである。
図６（ａ）〜（ｃ）において、ソケット２１の雄ねじ部２１ｅの下端部に第一凸部２８が形成され、キャップ２２の雌ねじ部２２ａの下側に形成された段部には、第一凸部２８に係合可能な第二凸部２９が形成されている。第一凸部２８と第二凸部２９は、それぞれ一方向の傾斜が緩やかで他方の傾斜が急峻な、一方向に傾く凸部形状を有している。しかも、第一凸部２８と第二凸部２９は傾斜の緩やかな傾斜面２８ａ，２９ａと急峻な傾斜面２８ｂ、２９ｂとが対向する位置に設置されている。
【００２９】
そのため、図６（ｂ）、（ｃ）に示すように、キャップ２２をソケット２１に締め込む場合には、第二凸部２９の緩やかな傾斜面２９ａが第一凸部２８の緩やかな傾斜面２８ａを乗り越える。キャップ２２の雌ねじ部２２ａをソケット２１の雄ねじ部２１ｅに締め込んだ状態では、第一凸部２８と第二凸部２９の急峻な傾斜面２８ｂ、２９ｂ同士が当接することでキャップ２２の緩みを阻止できる。
なお、メンテナンス等のためにキャップ２２を取り外す場合には、ソケット２１の第一凸部２８の急峻な傾斜面２８ｂをキャップ２２の第二凸部２９の急峻な傾斜面２９ｂが乗り越えることで取り外しできる。その際、ソケット２１やキャップ２２は合成樹脂製であるため、第一凸部２８と第二凸部２９が弾性変形させられる。また、キャップ２２をソケット２１に対して相対回転させて着脱操作するため、ソケット２１の下部フランジ部２１ｄには、一部を切り欠いた供回り防止ガイド２１ｆが形成されている。
【００３０】
本実施形態による樋排水システムは上述した構成を備えており、次にその作用について説明する。
通常の状態において、図２に示すように、屋根２に降った雨水は軒先に設けられた軒樋３に流入し、軒樋３から竪樋６を介して下方に流れて外部に排出される。この場合、軒樋３内に溜まる雨水の水面高さはオーバーフロー樋７の上部ドレン本体１６に設けた流入開口２５に届かないため、雨水はオーバーフロー樋７からは排出されない。雨水は竪樋６から外部に排出される。
また、集中豪雨やゲリラ豪雨等によって短時間で集中的に多量の降雨が発生した場合、軒樋３内の雨水の水面が急上昇する。特にオーバーフロー樋７を設けた軒樋３の排水勾配の高い底面３ａの領域で雨水の水位が上昇し、上部ドレン本体１６の流入開口２５を超える。そのため、雨水は竪樋６だけでなく、オーバーフロー樋７の流入開口２５を通して流入し、上部ドレン本体１６、下部ドレン本体１７を通して小径筒部１７ｃからソケット２１内に落下する。
【００３１】
ソケット２１内に流入した雨水は、その下端部のキャップ２２の各空間ｋ１、ｋ２、ｋ３、ｋ４の排水開口２６を通して集合させられ同心円状に整流化され、真下に落下する。そのため、キャップ２２から外部に落下する排水は飛散してもその影響が小さく、外壁面１３に雨水が付着する影響が小さい。キャップ２２から外部に落下する雨水は外壁面１０側に偏ったりすることなく、下方の地面に落下する。
なお、軒樋３内で枯れ葉やごみ等がオーバーフロー樋７に落下したとしても、上部ドレン本体１６に蓋部１９が設置されているため、上部開口１６ａで詰まることはない。
しかも、軒樋３を流れる雨水と共に枯れ葉やごみ等がオーバーフロー樋７に流れ着いたとしても、流入開口２５の周囲は蓋部１９で覆われているため、流入開口２５が枯れ葉やごみ等で詰まることを阻止できる。
【００３２】
オーバーフロー樋７において、キャップ２２の排水開口から吐出される排水量よりも流入開口２５から流入する雨水の量が多い場合、余剰の雨水は下部ドレン本体１７内の小径筒部１７ｃからソケット２１内に落下して滞留する。そして、ソケット２１内が雨水で満杯になると上部開口２１ａの下方傾斜部２１ａａから雨水が溢れて落下する。
その際、下方傾斜部２１ａａは外壁面１０の反対側に設けられて下向きに傾斜しているため、外壁面１０を汚すことを防止できる。ソケット２１から落下する雨水は下方の支持部材１４に貯留される。或いは、支持部材１４から下方に落下する。また、竪樋６の集水器のあたりが枯れ葉やごみ等で詰まった場合でも、軒樋３内の水面が上昇するため、オーバーフロー樋７の上部ドレン本体１６内に設けた流入開口２５から雨水が流入して、キャップ２２から排出される。
【００３３】
なお、軒樋３からオーバーフロー樋７内の上部ドレン１８内に細かくなった枯れ葉やごみ等が排水と共に流入し、ソケット２１を介してキャップ２２へ降下することがある。この場合、キャップ２２の中央旋回筒２２ｂ、その外側の第一旋回筒２２ｃ、第二旋回筒２２ｄが同心円状に形成されていて、中央旋回筒２２ｂ、第一旋回筒２２ｃ、第二旋回筒２２ｄはその高さが異なる形状である。そのため、その上端に枯れ葉やごみ等が付着しても中央旋回筒２２ｂ、第一旋回筒２２ｃ、第二旋回筒２２ｄで仕切られる各空間ｋ１、ｋ２、ｋ３、ｋ４の水路が確保され、水流が詰まることを阻止できる。
【００３４】
上述したように、本実施形態による樋排水システムによれば、集中豪雨等で軒樋３内に流れる雨水の水面が上昇した場合、竪樋６とは別に軒樋３の排水勾配の高い位置に設けたオーバーフロー樋７を通して雨水を排水できる。また、竪樋６が枯れ葉やごみ等で詰まった場合も同様にオーバーフロー樋７を通して雨水を排水できる。そのため、軒樋３をオーバーフローした雨水が屋内側や居室側に流れ込むことを阻止できる。また、軒樋３内の雨水がオーバーフローして外壁面１０等に流れ込んで外壁面１０等を汚すことを防止できる。
しかも、オーバーフロー樋７内に流入する雨水を、その下端部のキャップ２２に設けた中央旋回筒２２ｂ、第一旋回筒２２ｃ、第二旋回筒２２ｄによって整流させて飛散が小さいように束ねて下方に放出することができる。そのため、キャップ２２から排出される排水が飛散して外壁面１０を汚すことを阻止できる。
【００３５】
また、オーバーフロー樋７内に流入する雨水がソケット２１内に滞留して溢れるとしても、上部開口２１ａの外壁面１０と反対側に下方傾斜部２１ａａを設けたため、溢れ出た排水が外壁面１０等を汚すことを防止できる。
また、軒樋３が高温や寒気等で伸縮した場合、オーバーフロー樋７の上部ドレン１８が一体に移動するが、上部ドレン１８がソケット２１に対して微小距離移動することを許容するため、オーバーフロー樋７が変形したり損傷したりしない。
【００３６】
以上、本発明の実施形態による樋排水システムとオーバーフロー樋７について説明したが、本発明は上述の実施形態に限定されるものではなく、その趣旨を逸脱しない範囲で適宜変更可能である。なお、以下に、本発明の変形例について説明するが、上述した実施形態と同一または同様な部材、部分には同一の符号を用いてその説明を省略する。
【００３７】
図７（ａ）、（ｂ）はオーバーフロー樋７における第一変形例によるキャップ３２を示すものである。
キャップ３２は、略円筒状の外周面部３３ａとその内部に固定された略円板状の排水口部３３ｂとで形成されている。排水口部３３ｂは略円筒状のリブを備えた中央円筒部３４と、その周囲に所定間隔で形成された螺旋状をなす複数のガイドリブ３５と、中央円筒部３４及びガイドリブ３５の間に形成された複数の開口部３６と、を備えている。中央円筒部３４とガイドリブ３５の底部には底面が形成されている。そのため、オーバーフロー樋７のソケット２１から落下する雨水は、キャップ３２において、ガイドリブ３５にガイドされて螺旋状に流れて複数の開口部３６から下方に排出される。本第一変形例によるキャップ３２によれば、排水口部３３ｂから螺旋状に流れ落ちる排水は外側に広がることなく真下に落下する。
【００３８】
図８（ａ）、（ｂ）はオーバーフロー樋７における第二変形例によるキャップ３８を示すものである。
キャップ３８は、略円筒状の外周面部３９ａとその内部に固定された略円板状の排水口部３９ｂとで形成されている。排水口部３９ｂは底面４０ａにおいて例えば外壁部１０から離間した位置に偏って開口部４０ｂが形成され、開口部４０ｂの上部には例えば直線状の複数のガイドリブ４１が所定間隔で平行に配列されている。
そのため、オーバーフロー樋７のソケット２１から落下する雨水は、キャップ３８において、複数のガイドリブ４１にガイドされて開口部４０ｂに流れ、各ガイドリブ４１の間の開口部４０ｂから下方に排出される。本第二変形例によるキャップ３８によれば、排水口部３９ｂの開口部４０ｂから流れ落ちる排水は外壁部１０から離間する方向に排出されて下方に落下する。
【００３９】
上述した実施形態による樋排水システムにおいて、オーバーフロー樋７を軒樋３における竪樋６と反対側端部である排水勾配の上端部に設けたが、本発明はこのような構成に限定されない。例えば、軒樋３の両端に竪樋６がそれぞれ設置されている場合、その中間位置にオーバーフロー樋７を設置してもよい。この場合、軒樋３の底面３ａにはオーバーフロー樋７の部分から両端の竪樋６に向けて下り傾斜の排水勾配が形成されていることが好ましい。
【００４０】
また、オーバーフロー樋７の下端部に設けたキャップ２２の排水開口２６について、同心円状の旋回筒によって排水を整流化させて真下に放出するようにしたが、本発明はこのような構成に限定されない。例えば、キャップ２２の排水開口２６は水流がいずれかの方向に偏心するように形成してもよい。その流れを規制する整流化構造は任意に形成できる。
なお、キャップ２２の流路をなす排水開口２６は必ずしも同心円状の各空間ｋ１、ｋ２、ｋ３、ｋ４で形成されていなくてもよい。例えば、キャップ２２の排水開口２６を外壁面１０から離れた位置に偏心させて形成してもよいし、外壁面１０側に偏った位置に偏心させて排水開口２６を形成してもよい。
【符号の説明】
【００４１】
３  軒樋
６  竪樋
７  オーバーフロー樋
１０  外壁面
１２  軒天
１６  上部ドレン本体
１７  下部ドレン本体
１８  上部ドレン
１９  蓋部
２１  ソケット
２１ａ  上部開口
２１ａａ  下方傾斜部
２２  キャップ
２２ｂ  中央旋回筒
２２ｃ  第一旋回筒
２２ｄ  第二旋回筒
２５  流入開口
ｋ１、ｋ２、ｋ３、ｋ４  空間
【図１】
2020029758.tif 000003
【図２】
2020029758.tif 000004
【図３】
2020029758.tif 000005
【図４】
2020029758.tif 000006
【図５】
2020029758.tif 000007
【図６】
2020029758.tif 000008
【図７】
2020029758.tif 000009
【図８】
2020029758.tif 000010
【図９】
2020029758.tif 000011